(57)【要約】【課題】犬等の愛玩動物を運搬する目的で各種のバッグが用いられており、折畳み可能として保管スペースを小さくし、また使用時における保形性を向上させること目的としたものも提案されている。しかし構造が複雑であり、体毛を挟んでしまうという欠点がある。【解決手段】本発明では底壁部１、側壁部２及び上壁部３を有する横長筒形状本体４の横開口部５に蓋体６を支持して収容空間を構成した愛玩動物用バッグにおいて、蓋体は底部側を横開口部の底部側に回動可能に固定し、ファスナーにより横開口部に固定する構成とし、横長筒形状本体は側壁部２が可撓性を有する構成とし、底壁部と上壁部と蓋体は保形性を有するものとし、両側の横開口部の内周に配置して保形するための剛性フレーム１１を横開口部の底部側に回動可能に固定し、剛性フレームを横開口部の内周部に支持するための支持手段１３を設けた構成とすることにより、上記欠点を解消している。【選択図】    図２
2014239726.tif 000002
【特許請求の範囲】
【請求項１】
底壁部、両方の側壁部及び上壁部を有する横長筒形状本体の長手方向両端の横開口部に、開閉可能な蓋体を支持して収容空間を構成した愛玩動物用バッグにおいて、前記蓋体は、その底部側を前記横開口部の底部側に回動可能に固定すると共に、その両方の側部側及び上部側をファスナーにより前記横開口部に固定する構成とし、前記横長筒形状本体は、前記両方の側壁部が可撓性を有する構成とすると共に、前記底壁部と前記上壁部及び前記蓋体は保形性を有するものとし、更に両側の前記横開口部の内周に配置して保形するための剛性フレームを、前記横開口部の底部側に回動可能に固定し、更に前記剛性フレームの両方の側部側及び上部側を前記横開口部の内周部に支持するための支持手段を設けたことを特徴とする愛玩動物用バッグ
【請求項２】
支持手段が、開口部と剛性フレームの両方の側部及び上部の対応個所に設けた面ファスナーであることを特徴とする請求項１に記載の愛玩動物用バッグ。
【発明の詳細な説明】
【技術分野】
【０００１】
本発明は、犬、猫等の愛玩動物を運搬する際などに使用するバッグに関するものである。
【背景技術】
【０００２】
犬等の愛玩動物を安全、快適に、しかも周囲に迷惑をかけたりしないように収容して運搬する目的で、従来より各種のバッグが提案されている。
【０００３】
このような愛玩動物用のバッグの例としては、例えば特許文献１に記載されているものは、プラスチックス等の硬質素材で構成された、いわゆるハードタイプのものや、また特許文献２に記載されているものは、布等の可撓素材で構成された、いわゆるソフトタイプのものがある。
【０００４】
ハードタイプのものは、形状が保形されているため安定感があり、横方向に構成された愛玩動物の出入用の開口部が保形されるため、愛玩動物の出入りが容易であったり、中に入った愛玩動物が開口部から顔を出すなどすることができる。しかしながらハードタイプのものは、不使用時に折り畳むことができないので、大きな保管スペースが必要である。
【０００５】
また、ソフトタイプのものは、不使用時には折り畳むことにより、小さな保管スペースで保管することができるが、使用時における保形性において難点がある。例えば、横方向に愛玩動物の出入用の開口部を構成した場合、この開口部が保形されないため、愛玩動物の出入りは容易でなく、中に入った愛玩動物が開口部から顔を出すなどすることはできない。
【０００６】
このことから、特許文献３に記載されているように、折り畳みを可能として保管スペースを小さくすることができ、しかも使用時における保形性を向上させることにより、ハードタイプとソフトタイプの利点を有するものも提案されている。
【０００７】
即ち、特許文献３に記載されたバッグでは、可撓性を有するバッグ本体内に、左右側壁に対応する側部板状芯材、底壁に対応する底部板状芯材、上部壁に対応する上部帯板状芯材と、左右側の側部板状芯材の長手方向の両端部側の上部と前記上部帯板状芯材との間に連結した上部帯板状芯材とから構成される保形材を設置することにより、折畳み可能でありながら、保形性を向上させている。
【先行技術文献】
【特許文献】
【０００８】
【特許文献１】特開平８−２８０２９１号公報
【特許文献２】実開平６−１９４４９号公報
【特許文献３】特許第４０６５１５１号公報
【発明の概要】
【発明が解決しようとする課題】
【０００９】
しかしながら特許文献３に記載されたバッグでは、保形材の構成要素が多いため製作が面倒であると共に、使用時から不使用時への折り畳み作業及び折り畳んだ状態から使用状態への組立作業が面倒であり、また保形材がバッグの収容空間内に露出しているため、愛玩動物の毛が保形材に絡まってしまう等の課題がある。
本発明はこのような課題を解決することを目的とするものである。
【課題を解決するための手段】
【００１０】
以上の課題を解決するために，本発明では、底壁部、両方の側壁部及び上壁部を有する横長筒形状本体の長手方向両端の横開口部に、開閉可能な蓋体を支持して収容空間を構成した愛玩動物用バッグにおいて、前記蓋体は、その底部側を前記横開口部の底部側に回動可能に固定すると共に、その両方の側部側及び上部側をファスナーにより前記横開口部に固定する構成とし、前記横長筒形状本体は、前記両方の側壁部が可撓性を有する構成とすると共に、前記底壁部と前記上壁部及び前記蓋体は保形性を有するものとし、更に両側の前記横開口部の内周に配置して保形するための剛性フレームを、前記横開口部の底部側に回動可能に固定し、更に前記剛性フレームの両方の側部側及び上部側を前記横開口部の内周部に支持するための支持手段を設けた愛玩動物用バッグを提案する。
【００１１】
また本発明では、前記構成において、支持手段が、横開口部と剛性フレームの両方の側部及び上部の対応個所に設けた面ファスナーである愛玩動物用バッグを提案する。
【発明の効果】
【００１２】
本発明の愛玩動物用バッグは、前記横長筒形状本体を構成する両方の側壁部が可撓性を有する構成としているが、長手方向両端の横開口部の内周部に剛性フレームを支持しているため、この開口部は蓋体を固定していない状態においても開口状態を維持することができる。
【００１３】
従ってこの状態での使用において、開口部を通しての愛玩動物の出入りが容易であり、またバッグ内に入った愛玩動物が開口部から顔を出すなどすることができる。
【００１４】
一方、横長筒形状本体の長手方向の両端の横開口部ともファスナーによる蓋体の固定を解除すると共に、面ファスナー等の支持手段による剛性フレームの支持を解除すると、横長筒形状本体の両方の側壁部が可撓性により折れ曲がることにより、上壁部が下降可能となる。
【００１５】
従って剛性フレームと蓋体を底壁部上に倒して、上壁部を下降させることにより、上壁部の略平面形状内に全ての構成要素を配置して折り畳み状態とすることができ、この状態での運搬が容易となると共に、収納スペースを小さくすることができる。
【図面の簡単な説明】
【００１６】
【図１】図１は本発明に係る愛玩動物用バッグの実施の形態の外観を示す斜視図である。
【図２】図２は図１の状態から、横開口部の蓋体と、上側の開口部の蓋体を開いた状態を示す斜視図である。
【図３】図３は図２の状態から剛性フレームの支持を解除した状態を示す斜視図である。
【図４】図４は図１の状態から横開口部の蓋体を開いた状態を示す側面図である。
【図５】図５は図４の状態から、支持を解除した剛性フレームを横開口部から出した状態を示す側面図である。
【図６】図６は図４の状態から、支持を解除した剛性フレームを内部方向にやや倒した状態を示す側面図である。
【図７】図７は図６の状態から、剛性フレームを更に倒して底部のクッション部上に載せた状態で、上壁部に上方から力を加えて横長筒形状本体を変形させた状態を示す側面図である。
【図８】図８は横長筒形状本体の長手方向両端の横開口部の蓋体を開とした状態を示す斜視図である。
【図９】図９は、図８の状態から図中右側の横開口部に対応する剛性フレームを開口部から出し、蓋体の内側に配置させた状態を示す斜視図である。
【図１０】図１０は、図９の状態から図中左側の横開口部に対応する剛性フレームを開口部から出し、蓋体の内側に配置させた状態を示す斜視図である。
【図１１】図１１は、図１０の状態から図中右側の蓋体と内側に配置した剛性フレームを横開口部から横長筒形状本体内に入れた状態を示す斜視図である。
【図１２】図１２は、図１１の状態から図中左側の蓋体と内側に配置した剛性フレームを横開口部から横長筒形状本体内に入れた状態を示す斜視図である。
【発明を実施するための形態】
【００１７】
次に、本発明を実施するための最良の形態を図１〜図１２を参照して説明する。
図に示すように、本発明の愛玩動物用バッグは、底壁部１、両方の側壁部２及び上壁部３を有する横長筒形状本体４の長手方向両端の横開口部５に、開閉可能な蓋体６を支持して収容空間を構成するものとしている。本発明は、この横長筒形状本体４において、前記両方の側壁部２が可撓性を有する構成とすると共に、前記底壁部１と前記上壁部３は保形性を有するものとしており、更に蓋体６も補正性を有するものとしている。図１及び図４中に記入した範囲Ａが側壁部２の部分を示すものであり、図１〜図３中に記載した実線Ｂ、Ｃは保形性を有する部分と可撓性を有する部分の境界を模式的に示すものである。
【００１８】
この実施の形態では、図１〜図３において手前側に見えている可撓性を有する側壁部２は、一部を網材等の通気性素材により構成して通気部７としている。この通気部７は、図１〜図３において隠れている側壁部２にも設けることができるが、この隠れている側壁部２には通気部を設けない構成とすることもできる。
【００１９】
蓋体６は、その底部側を前記横開口部５の底部側に、支持部材８を以て回動可能に固定し、その両方の側部側及び上部側をファスナー９により前記横開口部５に固定する構成としている。この実施の形態においては、ファスナー９はスライドファスナーを用いている。そしてこの実施の形態においては、蓋体６の一部を網材等の通気性素材により構成して通気部１０としている。
【００２０】
符号１１は剛性フレームであり、この剛性フレーム１１は、前記横開口部５の底部側に支持部材１２を以て回動可能に固定しており、そして、その両方の側部側と上部側及び対応する横開口部５の内周部には、夫々対応する面ファスナー１３ａ，１３ｂを設けて、前記横開口部５の内周に着脱可能に構成している。尚、剛性フレーム１１は硬質プラスチックや金属棒等で構成することができ、こられに布材等を被せた構成とすることもできる。
【００２１】
尚、この実施の形態では、前記横長筒形状本体４の上壁部３には上開口部１４を設け、蓋体１５をスライドファスナー１６により開閉可能に構成している。また符号１７はベルト、１８は底壁クッション体である。
【００２２】
以上の構成において、本発明の愛玩動物用バッグでは、横長筒形状本体４を構成する両方の側壁部２が可撓性を有する構成としているが、図２及び図４に示すように長手方向両端の横開口部５の内周部に剛性フレーム１１を支持している状態では、側壁部２の長手方向の両端を剛性フレーム１１で保形することができ、図１の状態から蓋体６を開いた、図２の状態においても開口部５の開口状態を維持することができる。
【００２３】
従ってこの状態での使用において、横開口部５を通しての愛玩動物の出入りが容易であり、またバッグ内に入った愛玩動物が開口部から顔を出すなどすることができる。
【００２４】
一方、図２及び図４の状態において、剛性フレーム１１の支持手段１３ａを、横開口部５側の支持手段１３ｂから外すと、剛性フレーム１１は支持部材１２を支点として回動可能となり、例えば図３の実線に示すように横開口部５の外方又は二点鎖線に示すように横開口部５の内方に下降することができる。
【００２５】
このように剛性フレーム１１を横開口部５の内周から外すと、横長筒形状本体４を構成する側壁部２は、図３及び図５に示すように折れ曲がるように変形して上壁部３が下降可能となる。
【００２６】
即ち、図８に示すように、横長筒形状本体４の長手方向の両端側の蓋体６の固定を解除して、横開口部５が開となつている状態において、図中右側の横開口部５から剛性フレーム１１を外して蓋体６の内周に位置させると、図９に示すように上壁部３の図中右側が下降可能となり、次いで図中左側の横開口部５から剛性フレーム１１を外して蓋体６の内周に位置させることにより、図１０に示すように上壁部３の図中左側も下降可能となる。
【００２７】
この状態において、図１１に示すように図中右側の剛性フレーム１１と蓋体６を横開口部５から横長筒形状本体４内に入れて底壁部１上に倒し、次いで図１２に示すように図中左側の剛性フレーム１１と蓋体６を横開口部５から横長筒形状本体４内に入れて底壁部１上に倒した状態とし、この状態で上壁部３を下降させることにより、上壁部の略平面形状内に全ての構成要素を配置して折り畳み状態とすることができる。従って、この状態での運搬が容易となると共に、収納スペースを小さくすることができる。
【００２８】
図１２の折り畳み状態から図１の使用状態への組立をするには、以上と逆の動作を行えば良い。
【００２９】
尚、以上の折り畳み操作及び組立操作においては、剛性フレーム１１を横長筒形状本体４の開口部５から外方に取り出しているが、外方に取り出さずに横長筒形状本体４内において開口部５との着脱を行うこともできる。
【産業上の利用可能性】
【００３０】
以上のように、本発明の愛玩動物用バッグは、極めて合理的に小さく折り畳みが可能であり、この状態での運搬が容易となると共に、収納スペースを小さくすることができると共に、簡単な操作で使用状態とすることができ、使用状態においては、横開口部の蓋体を外した状態でも、この横開口部を保形可能であるという特徴が有る。
【００３１】
即ち、本発明の愛玩動物用バッグは、いわゆるハードタイプのものと、ソフトタイプのものの両方の特徴を備えるものであり、犬、猫その他の愛玩動物のためのバッグとして利用可能性が非常に高い。
【符号の説明】
【００３２】
１                底壁部
２                側壁部
３                上壁部
４                横長筒形状本体
５                横開口部
６                蓋体
７                通気部
８                支持部材
９                ファスナー（スライドファスナー）
１０              通気部
１１              剛性フレーム
１２              支持部材
１３ａ，１３ｂ    支持手段（面ファスナー）
１４              上開口部
１５              蓋体
１６              スライドファスナー
１７              ベルト
１８              底壁クッション体
【図１】
2014239726.tif 000003
【図２】
2014239726.tif 000004
【図３】
2014239726.tif 000005
【図４】
2014239726.tif 000006
【図５】
2014239726.tif 000007
【図６】
2014239726.tif 000008
【図７】
2014239726.tif 000009
【図８】
2014239726.tif 000010
【図９】
2014239726.tif 000011
【図１０】
2014239726.tif 000012
【図１１】
2014239726.tif 000013
【図１２】
2014239726.tif 000014